(57)【要約】【課題】あらゆるＴＶ放送形態や映像番組の視聴形態にも容易にかつ安価に対応できるとともに、著作権保護にも配慮した映像番組視聴装置を提供する。【解決手段】ユーザインタフェースと、選局されたチャンネルの放送番組を所定形式の番組データとして出力する別体のチューナモジュールと、チューナモジュールを着脱自在に装着してチューナモジュールと通信するモジュールインタフェースと、ネットワークインタフェースと、番組データをローカル暗号化する手段と、ローカル暗号化された番組データの復号手段と、番組データを所定形式の映像信号と音声信号として出力する手段と、ユーザ入力された番組指定情報をチューナモジュールに与える手段と、番組データをデコード部へ入力するとともに、ネットワークインタフェースからの暗号化された番組データを復号手段へ入力し、番組データをローカル暗号化してネットワーク上に送出する手段とを備えている。【選択図】  図２
2006279433.tif 000002
【特許請求の範囲】
【請求項１】
ＴＶ放送番組などの映像番組を視聴する映像番組視聴装置であって、ユーザインタフェースと、別体の番組供給モジュールと、モジュールインタフェースと、ネットワークインタフェースと、ローカル暗号化手段と、復号手段と、デコード手段と、ディスプレイインタフェースと、オーディオインタフェースと、制御手段を備え、
ユーザインタフェースは、利用者入力を受け付けるとともに、利用者に提示する情報を出力し、
番組供給モジュールは、ＴＶ放送用チューナを主体に構成されたチューナモジュールであり、当該チューナモジュールは、チャンネルの指定情報を含む番組特定情報を受け付け、受信した放送電波信号から指定のチャンネルで放送中の番組の映像と音声を所定形式の番組データとして出力し、
モジュールインタフェースは、番組供給モジュールを着脱自在に装着するとともに、装着されている番組供給モジュールと前記制御手段との通信を仲介・制御し、
ネットワークインタフェースは、所定のネットワークに接続して前記制御手段と当該ネットワークとの通信を仲介・制御し、
ローカル暗号化手段は、番組データをローカル暗号化して暗号化番組データとして出力し、
復号手段は、暗号化番組データを番組データに復号して出力し、
デコード手段は、番組データを伸長して非圧縮のデジタル映像データとデジタル音声データとして出力し、
ディスプレイインタフェースは、デコード手段からの前記デジタル映像データを所定規格のディスプレイモニタに対応する映像信号に変換して出力し、
オーディオインタフェースは、デコード手段からのデジタル音声データを適宜なオーディオ信号にして出力し、
制御手段は、番組指定処理と、番組データ通信制御処理とを可能とし、
番組指定処理は、ユーザインタフェースあるいはネットワークインタフェースを介して受け付けた番組指定情報をチューナモジュールに与え、
番組データ通信制御処理は、チューナモジュールからの番組データをデコード手段へ入力するとともに、ネットワークインタフェースを介して受信した暗号化番組データを復号手段へ入力し、番組データをネットワーク上へ送出する際には、ローカル暗号化手段により暗号化番組データにした上でネットワーク上に送出する、
映像番組視聴装置。
【請求項２】
請求項１において、
前記番組供給モジュールには、前記チューナモジュールに加え、前記暗号化番組データを所定形式の映像音声ファイルとして蓄積したハードディスク装置を主体として構成されるＨＤＤモジュールがあり、
前記番組供給モジュールは自身の種別情報を出力し、
前記モジュールインタフェースは、前記チューナモジュールと前記ＨＤＤモジュールを同時装着可能とし、
前記ＨＤＤモジュールは、映像音声ファイルの指定情報を含む番組特定情報を受け付けて、指定の映像音声ファイルを暗号化番組データとして出力し、
前記制御手段は、録画処理と、ファイル一覧提示処理と、ファイル指定処理とを可能とし、
録画処理は、前記チューナモジュールと前記ＨＤＤモジュールが前記モジュールインタフェースに同時装着されている場合、ユーザインタフェースを介してチャンネルの指定情報を含む録画指示を受け付けるとチューナモジュールから、指定のチャンネルで放送中の番組データをローカル暗号化手段により暗号化番組データにさせた上で前記映像音声ファイルにしてＨＤＤモジュールのハードディスク装置に格納し、
ファイル一覧提示処理は、ユーザインタフェースを介してファイル一覧の提示要求を受け付けると、ＨＤＤモジュールのハードディスク装置に蓄積されているファイルの一覧を前記ユーザインタフェースにより表示出力し、前記提示要求をネットワークインタフェースットワークインタフェースを介して受け付けると、前記ファイルの一覧を当該提示要求の送付元に宛ててネットワーク上へ送出し、
ファイル指定処理は、ユーザインタフェース、あるいはネットワークインタフェースを介して前記ファイルの指定情報を含む番組特定情報を受け付け、当該番組特定情報をモジュールインタフェースを介して前記ＨＤＤモジュールに与える、
映像番組視聴装置。
【請求項３】
請求項１または２において、
前記番組供給モジュールとして、特定のＴＶ放送形態に対応したチューナモジュールが各種用意され、
チューナモジュールは、自身が受信可能なＴＶ放送についての情報を含む種別情報を出力し、
前記モジュールインタフェースは複数の番組供給モジュールを同時装着可能とし、
制御手段は、チューナ特定処理と、番組配信処理とを可能とし、
モジュール特定処理は、前記モジュールインタフェースに装着されている番組供給モジュールの種別情報とユーザインタフェースあるいはネットワークインタフェースを介して受け付けた番組特定情報とに基づいて当該番組特定情報の送付先となる番組供給モジュールを特定するとともに、複数の番組特定情報を受け付けると番組データを出力していない番組供給モジュールに番組特定情報を与え、
番組配信処理は、複数の送信元からの番組特定情報をネットワークインタフェースを介して受け付けると、前記モジュール特定処理により特定した番組供給モジュールからの番組データを、ローカル暗号化手段により暗号化番組データにした上で、前記送信元へネットワークインタフェースを介して出力する、
映像番組視聴装置。
【発明の詳細な説明】
【技術分野】
【０００１】
この発明は、ＴＶ放送などの番組を視聴するための装置に関し、具体的には、デジタルＴＶ放送やアナログＴＶ放送、あるいは地上波放送、衛星放送など、各種ＴＶ放送形態と映像番組の著作権保護とに対応した映像番組視聴装置に関する。
【背景技術】
【０００２】
近年、ＴＶ放送の形態が多様化している。従来のアナログ地上波放送とアナログ衛星（ＢＳ）放送、デジタル通信衛星（ＣＳ）放送に加え、デジタルＢＳ放送が近年本放送を開始した。デジタル地上波放送も一部地域で受信可能となっている。また、ＴＶの視聴形態も多様化してきている。とくにＴＶ放送受信機能を備えたコンピュータが普及し始めており、ＴＶ受像機やビデオレコーダを一切持たず、ＴＶ放送の受信機能や録画機能を備えたパーソナルコンピュータをそれらの代わりとして日常的に利用している人もいる。また、記憶資源に映像番組を蓄積しておき、その蓄積されている映像番組をＬＡＮなどを介してコンピュータに配信することで、複数の人が記憶資源に蓄積された映像番組を複数の場所で個別に視聴する形態もある。その一方で、ホームページの閲覧や電子メールの送受信を行えるＴＶ受像機もある。ＴＶ受像機に関しては、家電製品とＩＴ製品としての境界が極めて曖昧になってきている。
【発明の開示】
【発明が解決しようとする課題】
【０００３】
しかしながら、視聴者が現在所有しているＴＶ受像機の多くは、未だにアナログ放送（地上波、ＢＳ）専用の機種であり、視聴者はあらゆる放送形態のＴＶ放送を視聴しようと思えば、新規にデジタル放送受信機能を備えたＴＶ受像機、あるいはデジタルＢＳ放送受信チューナやデジタルＣＳ放送受信チューナなど特定の放送形態に対応した専用チューナを購入する必要がある。また、専用チューナを追加すれば、ＴＶ受像機やチューナを操作するためのリモコン装置も多くなり、操作自体が面倒になる。
【０００４】
また、デジタルＴＶ放送システムは、高能率のデータ圧縮技術により、従来のアナログＴＶ放送システムより遙かに高画質の番組を放送することができる。また、番組の映像音声の起源となるデジタルデータ（番組データ）をそのまま記録すれば、画質劣化のない録画ができる。そのため、違法コピーやネットワークを介した違法配信を防止して番組の提供者や制作者の著作権を保護するための規定が、社団法人電波産業会規格「ARIB TR-B14 第２編」「ARIB TR-B15 第２編」「ARIB TR-B14 第８編」など（以下、ＡＲＩＢ仕様書）などに記載されている。
【０００５】
特に、コンピュータは、デジタルデータを直接取り出すことが可能なユーザアクセスバス（ＡＧＰ、ＰＣＩ、ＩＤＥ、ＳＣＳＩなど：以下、汎用バス）を備え、この汎用バスにデジタルＴＶ放送の番組データや、その番組データを起源とするデジタルデータを送出すれば、高画質のＴＶ番組を劣化させることなくコピーすることができる。その高画質の番組に関わるデータをネットワーク経由で他のコンピュータへ転送することもできる。特にＨＤコンテンツと呼ばれる解像度の高い映像を含んだ番組に関わるデータの取り扱いについては、上記ＡＲＩＢ仕様書により厳しく規定されている。
【０００６】
したがって本発明は、あらゆるＴＶ放送形態や映像番組の視聴形態にも容易にかつ安価に対応できるとともに、著作権保護にも配慮した映像番組視聴装置を提供することを目的としている。
【課題を解決するための手段】
【０００７】
上記目的を達成するために本発明は次の要件（１）〜（14）を備えている。  
（１）ＴＶ放送番組などの映像番組を視聴する映像番組視聴装置であること。  
（２）ユーザインタフェースと、別体の番組供給モジュールと、モジュールインタフェースと、ネットワークインタフェースと、ローカル暗号化手段と、復号手段と、デコード手段と、ディスプレイインタフェースと、オーディオインタフェースと、制御手段を備えること。  
（３）ユーザインタフェースは、利用者入力を受け付けるとともに、利用者に提示する情報を出力すること。  
（４）番組供給モジュールは、ＴＶ放送用チューナを主体に構成されたチューナモジュールであり、当該チューナモジュールは、チャンネルの指定情報を含む番組特定情報を受け付け、受信した放送電波信号から指定のチャンネルで放送中の番組の映像と音声を所定形式の番組データとして出力すること。  
（５）モジュールインタフェースは、番組供給モジュールを着脱自在に装着するとともに、装着されている番組供給モジュールと前記制御手段との通信を仲介・制御すること。  
（６）ネットワークインタフェースは、所定のネットワークに接続して前記制御手段と当該ネットワークとの通信を仲介・制御すること。  
（７）ローカル暗号化手段は、番組データをローカル暗号化して暗号化番組データとして出力すること。  
（８）復号手段は、暗号化番組データを番組データに復号して出力すること。  
（９）デコード手段は、番組データを伸長して非圧縮のデジタル映像データとデジタル音声データとして出力すること。  
（10）ディスプレイインタフェースは、デコード手段からの前記デジタル映像データを所定規格のディスプレイモニタに対応する映像信号に変換して出力すること。  
（11）オーディオインタフェースは、デコード手段からのデジタル音声データを適宜なオーディオ信号にして出力すること。  
（12）制御手段は、番組指定処理と、番組データ通信制御処理とを可能とすること。  
（13）番組指定処理は、ユーザインタフェースあるいはネットワークインタフェースを介して受け付けた番組指定情報をチューナモジュールに与えること。  
（14）番組データ通信制御処理は、チューナモジュールからの番組データをデコード手段へ入力するとともに、ネットワークインタフェースを介して受信した暗号化番組データを復号手段へ入力し、番組データをネットワーク上へ送出する際には、ローカル暗号化手段により暗号化番組データにした上でネットワーク上に送出すること。
【０００８】
本発明は上記要件（１）〜（14）に加え、次の要件（21）〜（28）を備えた映像番組視聴装置とすることもできる。  
（21）前記番組供給モジュールには、前記チューナモジュールに加え、前記暗号化番組データを所定形式の映像音声ファイルとして蓄積したハードディスク装置を主体として構成されるＨＤＤモジュールがあること。  
（22）前記番組供給モジュールは自身の種別情報を出力すること。
【０００９】
（23）前記モジュールインタフェースは、前記チューナモジュールと前記ＨＤＤモジュールを同時装着可能とすること。  
（24）前記ＨＤＤモジュールは、映像音声ファイルの指定情報を含む番組特定情報を受け付けて、指定の映像音声ファイルを暗号化番組データとして出力すること。  
（25）前記制御手段は、録画処理と、ファイル一覧提示処理と、ファイル指定処理とを可能とすること。  
(26)録画処理は、前記チューナモジュールと前記ＨＤＤモジュールが前記モジュールインタフェースに同時装着されている場合、ユーザインタフェースを介してチャンネルの指定情報を含む録画指示を受け付けるとチューナモジュールから、指定のチャンネルで放送中の番組データをローカル暗号化手段により暗号化番組データにさせた上で前記映像音声ファイルにしてＨＤＤモジュールのハードディスク装置に格納すること。  
（27）ファイル一覧提示処理は、ユーザインタフェースを介してファイル一覧の提示要求を受け付けると、ＨＤＤモジュールのハードディスク装置に蓄積されているファイルの一覧を前記ユーザインタフェースにより表示出力し、前記提示要求をネットワークインタフェースットワークインタフェースを介して受け付けると、前記ファイルの一覧を当該提示要求の送付元に宛ててネットワーク上へ送出すること。  
（28）ファイル指定処理は、ユーザインタフェース、あるいはネットワークインタフェースを介して前記ファイルの指定情報を含む番組特定情報を受け付け、当該番組特定情報をモジュールインタフェースを介して前記ＨＤＤモジュールに与えること。
【００１０】
さらに、上記要件（１）〜（14）に加え、次の要件（31）〜（35）を備えた映像番組視聴装置、あるいは上記要件（１）〜（14）と（21）〜（28）とに加え、次の要件（31）〜（35）を備えた映像番組視聴装置とすることもできる。  
（31）前記番組供給モジュールとして、特定のＴＶ放送形態に対応したチューナモジュールが各種用意されていること。  
（32）チューナモジュールは、自身が受信可能なＴＶ放送についての情報を含む種別情報を出力すること。  
（33）前記モジュールインタフェースは複数の番組供給モジュールを同時装着可能とし、制御手段は、チューナ特定処理と、番組配信処理とを可能とすること。  
（34）モジュール特定処理は、前記モジュールインタフェースに装着されている番組供給モジュールの種別情報とユーザインタフェースあるいはネットワークインタフェースを介して受け付けた番組特定情報とに基づいて当該番組特定情報の送付先となる番組供給モジュールを特定するとともに、複数の番組特定情報を受け付けると番組データを出力していない番組供給モジュールに番組特定情報を与えること。  
（35）番組配信処理は、複数の送信元からの番組特定情報をネットワークインタフェースを介して受け付けると、前記モジュール特定処理により特定した番組供給モジュールからの番組データを、ローカル暗号化手段により暗号化番組データにした上で、前記送信元へネットワークインタフェースを介して出力すること。
【発明の効果】
【００１１】
本発明の映像番組視聴装置によれば、あらゆるＴＶ放送形態や映像番組の視聴形態にも容易にかつ安価に対応できるとともに、著作権保護対策にも対応することができる。
【発明を実施するための最良の形態】
【００１２】
＝＝＝装置構成＝＝＝
図１に、本発明の実施例における映像番組視聴装置（以下、視聴装置）の概略構成を示した。視聴装置１の本体２は、セットトップボックス（ＳＴＢ）の形態で提供され、ディスプレイモニタ５０、およびステレオセットやスピーカなどのオーディオ機器６０は外付けとし、既存の機器を使用するようになっている。視聴装置１のユーザインタフェースにおける入出力部としては、主な入力装置となるリモコン装置１０が付属し、装置本体２には、操作ボタン１２が配設されている。また、キャラクタを主体とした各種情報を利用者に提示するための液晶パネや動作状況を提示するためのＬＥＤランプなどの表示部１３が配設されている。
【００１３】
そして視聴装置１には、映像番組の供給源となるモジュール（番組供給モジュール）２０が着脱可能に装着され、視聴装置本体２には、複数の番組供給モジュール２０を装着するための複数のスロット２１が配設されている。本実施例の番組供給モジュール２０の形態は、薄い箱形であり、スロット２１に装着される側の箱の端部には独自規格のコネクタを備えている。スロット２１内には番組供給モジュール２０のコネクタに適合する他方のコネクタがあり、番組供給モジュール２０をスロット２１に装着すると、番組供給モジュール２０と装置本体２の双方の内部回路が接続される。番組供給モジュール２０とスロット２１の接続形態としては、上記形態に限らず、番組供給モジュール２０を拡張ボード形状にして、エッジコネクタによって接続するなど、適宜な形態が採用できる。
【００１４】
番組供給モジュール２０としては、各種ＴＶ放送形態（デジタルＢＳ放送、アナログ地上波放送など）に対応したチューナを内蔵したモジュール（チューナモジュール）や、映像番組を所定形式のデータファイルにして蓄積したハードディスク装置（ＨＤＤ）を内蔵したＨＤＤモジュールが用意され、視聴者は、希望するＴＶ放送形態や番組のデータファイルなどに応じて番組供給モジュールを選択したり、追加したりすることができる。それによって、既存のＴＶ受像機を買い換えることなく、番組供給モジュール２０を追加装着するだけで視聴を希望する放送形態で放送されている番組を視聴したり、映像番組の録画や再生視聴をしたりすることができる。また、視聴装置１を操作するためのユーザインタフェースは、当然１系統であり、番組供給モジュールが増えても複数のリモコン装置を使い分ける必要がなく、利用者に快適な操作環境を提供することができる。
【００１５】
なお、視聴装置１は上記の装置構成に限らず、ＴＶ受像機として、ディスプレイモニタとスピーカとを一体化してもよいし、番組供給モジュールを簡単に交換できるように、モジュールを装着する筐体部分と、ユーザインタフェースや映像や音声信号を処理する回路を内蔵した制御装置の筐体部分とを別体にし、双方の筐体における回路を専用の通信インタフェースで通信可能に接続するようにしてもよい。制御装置側にディスプレイモニタとスピーカなどが一体化されていてもよい。
【００１６】
＝＝＝機能ブロック構成＝＝＝
図２に本発明の実施例における視聴装置１の機能ブロック構成を示した。制御部３１は、ワンチップマイコンであり、各機能構成部を制御し、視聴装置１を統括している。ユーザインタフェース（ＩＦ）１１は、入力部となる操作ボタン１２やリモコン装置１０、ＬＥＤや液晶パネルなどの表示部１３と、入力部（１０，１２）からの操作入力情報を制御部３１へ転送したり制御部３１からの指示に従って表示部１３を駆動したりするための回路を含む入出力制御部１４とを含んでいる。
【００１７】
モジュールＩＦ２２は、チューナモジュール２０ａやＨＤＤモジュール２０ｂなどの複数の番組供給モジュール２０が個別に着脱自在に装着される複数のスロット２１を備え、スロット２１に装着された番組供給モジュール２０と制御部３１との通信制御を行うための通信制御部２３を含んでいる。なお本実施例のチューナモジュール２０ａは、アンテナ７０からの放送電波信号を入力するためのアンテナ端子２４を備え、アンテナ７０からの放送電波信号は各チューナモジュール２０ａにて個別に受信される構成としている。もちろん、視聴装置本体２側に共通のアンテナ入力端子を備えさせるとともに、チューナモジュール２０ａのコネクタの特定の端子をアンテナ入力端子とし、スロット２１を介して放送電波信号をチューナモジュール２０ａへ分配する構成とすることもできる。
【００１８】
番組供給モジュール２０は、自身の種別情報を記憶し、チューナモジュール２０ａであれば受信可能なＴＶ放送形態についての情報を記憶している。ＨＤＤモジュール２０ｂであればその旨の情報を記憶している。そして、制御部３１からの要求に従って、自身の種別情報を出力し、制御部３１は、どのスロット２１にどの種別の番組供給モジュール２０が装着されているのかを管理する。
【００１９】
また番組供給モジュール２０は、チューナモジュール２０ａでれば、内蔵チューナで選局しているチャンネルで放送している映像と音声を所定形式の番組データにして出力する。本実施例では、番組データとして、映像と音声を多重化したＭＰＥＧ２トランスポートストリーム（ＴＳ）を採用しており、チューナモジュール２０ａは、内蔵チューナがデジタル放送用チューナであれば、同調・復調を経て、選局チャンネルのＴＳを抽出し、そのＴＳをそのまま出力する。デジタルＣＳ放送など、１つの搬送帯域に複数の番組が多重化されている場合には、各番組の映像データと音声データとを含んだＴＳに多重分離し、そのＴＳを出力する。アナログ放送用チューナであれば、ハードウエアＭＰＥＧ２エンコーダを内蔵し、同調・復調・を経て抽出した音声信号とＮＴＳＣ規格のアナログの映像信号とをエンコーダがＭＰＥＧ２規格に基づいて符号化・圧縮してＴＳに変換して出力する。
【００２０】
一方、ＨＤＤモジュール２０ｂの内蔵ＨＤＤには映像番組の映像と音声を含む所定形式の符号化・圧縮データをローカル暗号化した暗号化番組データをファイルとして格納されており、この暗号化番組データを番組データとして出力する。なお本実施例では、暗号化前の圧縮・符号化データは、ＭＰＥＧ２規格で圧縮符号化したデータである。
【００２１】
ローカル暗号化部３２は、当該暗号部に実装された専用の暗号化ＬＳＩに固有の鍵を記憶し、所定のアルゴリズムに基づいてＭＰＥＧ２規格の映像音声データをこの鍵でローカル暗号化して暗号化番組データを出力する。なお、上記ＨＤＤモジュール２０ｂに格納されている暗号化番組データもこの固有の鍵により暗号化されたものである。復号部３３は、自身に実装された専用の複号化ＬＳＩに上記暗号化ＬＳＩに固有の鍵と同じ鍵を記憶し、この鍵で暗号化番組データをＭＰＥＧ２規格の映像音声データ（番組データ）に復号する。また、周知のスクランブル放送にも対応して、Ｂ-ＣＡＳ（登録商標）カードなど、スクランブル鍵を記憶したＩＣカード３５とそのカードを装着するためのＩＣカードＩＦ３４とを備えている。そして復号部３３は、スクランブル放送のＴＳをスクランブル鍵を用いてスクランブルを解除し番組データに復号する処理も行う。
【００２２】
デコード部３６は番組データを復号・伸長して非圧縮のデジタル映像データとデジタル音声データとして出力する。ディスプレイＩＦ３８はビデオＲＡＭを内蔵し、非圧縮のデジタル映像データをビデオＲＡＭにビットマップ展開するとともに、そのビットマップ画像を種々の形式のアナログ映像信号に変換して出力する。本実施例では、コンポーネント色差信号、コンポジット映像信号、ＹＣセパレート信号に変換し、それぞれの信号は対応の映像出力端子３９から外部出力される。またディスプレイＩＦ３８は、制御部３１の制御により、番組データ起源以外の画像（例えば、チャンネル表示のためのテキスト、音量表示のためのバーグラフなど）を所定の色を背景にして表示したり、番組の映像にスーパーインポーズ表示したりする処理も行う。
【００２３】
オーディオＩＦ４０は、非圧縮のデジタル音声データをアナログの音声信号にＤ／Ａ変換したり、所定形式のデジタル信号に変換したりして、音声信号出力端子４１から出力させる。なお、本実施例の視聴装置１は、音声信号出力端子４１として、アナログ音声信号用のＲＣＡ端子とスピーカ用端子、デジタル光信号用の周知のＳＰＩＦ規格の出力端子を備えている。
【００２４】
ネットワークＩＦ３７は、外部の機器との通信ＩＦであり、本実施例では１００ＢＡＳＥ−Ｔ規格に準拠したＲＪ４５コネクタを備え、制御部３１とＬＡＮや外部機器との通信を制御する。本実施例では、ＴＣＰ／ＩＰ手順に基づいて通信する。ＩＰアドレスはネットワーク上のＤＨＣＰサーバーにより割り当てられてもよいし、利用者が手動で設定してもよい。視聴装置１自体にＤＨＣＰサーバーの機能があってもよい。
【００２５】
＝＝＝ＴＶ番組の視聴＝＝＝
上記構成の視聴装置１におけるＴＶ番組の映像表示処理について説明する。制御部３１は、リモコン装置１０や操作ボタン１２などにより選局チャンネルが指定されると、制御部３１は、そのチャンネルの指定情報を入出力制御部１４を介して受け付ける。そして、番組供給モジュール２０から受け取った種別情報に基づいて指定のチャンネルを受信可能なチューナモジュール２０ａに対してチャンネル指定情報を送付する。
【００２６】
チャンネル指定情報を受け取ったチューナモジュール２０ａはこの指定のチャンネルを選局し、放送中の番組データを出力する。番組データは、必要に応じて復号部３３でスクランブルを解除され、デコード部３６にて伸長されて番組の映像データと音声データとしてディスプレイＩＦ３８とオーディオＩＦ４０に入力される。そして、所定の映像信号と音声信号として映像出力端子３９と音声出力端子４１から出力され、外付けのディスプレイモニタ５０とオーディオ機器６０とにより番組の映像と音声が、映像音響出力され視聴に供される。
【００２７】
＝＝＝著作権保護対策＝＝＝
視聴装置１は、チューナモジュール２０ａにて受信・選局された番組を、自身の出力端子（３９，４１）に直接接続されたディスプレイモニタ５０やオーディオ機器６０にのみ映像音響出力するだけではなく、ネットワーク８０上に接続された外部の機器、例えば、番組データの復号・伸長機能を備えたパーソナコンピュータや他の視聴装置での視聴に供することができる。しかし、ネットワーク８０上に番組データをそのまま送出すれば、著作権保護上問題がある。もちろんＡＲＩＢの規定にも反する。そこで、視聴装置１は、ネットワーク８０上に送出する番組データをローカル暗号化した上で送出している。それによって、ネットワーク８０上で番組データを傍受したり、不正に番組データを視聴装置１から取り寄せたりしても、ローカル暗号化されているため、専用の復号化ＬＳＩを実装した復号装置がなければ、番組を視聴することができない。
【００２８】
具体例として、ネットワークカードを実装してＬＡＮに接続しているパーソナルコンピュータ（ＰＣ）にて視聴装置起源の番組の映像と音声を映像音響出力する例を挙げる。ＰＣには、視聴装置の復号部に実装された復号化ＬＳＩを実装するとともに、ＭＰＥＧ２ＴＳを復号・伸長する機能を備えた拡張カード（デコーダカード）がＰＣＩなどの所定の汎用バススロットに接続されているものとする。また、視聴装置を遠隔操作するためのソフトウエア（番組視聴ソフト）がインストールされているものとする。
【００２９】
ＰＣにて番組視聴ソフトを起動すると、ＰＣはネットワーク８０上に視聴装置１があるか否かを走査する。視聴装置１を認識したならば、視聴装置１の制御部３１と通信を確立する。ＰＣの番組視聴ソフトは、選局操作と番組のＰＣのモニタ上での視聴とを可能とし、ＰＣの利用者があるチャンネルを選局すると、そのチャンネル指定情報がネットワークＩＦ３７を介して制御部３１に送達される。制御部３１は、指定チャンネルで放送中の番組データを、必要に応じて復号部３３でスクランブル解除した上で、ローカル暗号化部３２へ転送していく。ローカル暗号化部３２は、番組データをローカル暗号化した暗号化番組データを出力する。制御部３１は、この暗号化番組データをネットワークＩＦ３７を介して、チャンネル指定情報を送付してきたＰＣを宛先にしてＬＡＮ上に送出する。
【００３０】
ＰＣは暗号化番組データを自身のネットワークカードを介して受け取ると、その暗号化番組データをデコーダカードへ転送する。デコーダカードは自身に実装されている復号化ＬＳＩに記憶されている鍵を使って暗号化番組データを番組データに復号し、視聴装置のデコード部と同様の機能により非圧縮のデジタル映像データとデジタル音声データをＰＣＩバス上に送出する。デジタル映像データは、ＰＣＩバスを経由して例えばＡＧＰバス上のグラフィックカードに転送される。デジタル映像データは、グラフィックカードにてオーバーレイ処理された上でＶＧＡ規格の映像信号に変換されて出力される。それによって、ＰＣのモニタには、番組の映像がＰＣのデスクトップ画面中に挿入された子画面やフルスクリーン画面に表示出力される。
【００３１】
一方、デジタル音声データは、ＰＣのＰＣＩバススロットに装着されたオーディオカードやマザーボードのオーディオデータ処理機能などによりＤ／Ａ変換され、アナログの音声信号として出力される。それによって、ＰＣに接続されたスピーカなどから番組の音声が音響出力される。
【００３２】
なお、複数の視聴装置１がネットワークに接続されている場合、視聴する側の視聴装置１は、ＰＣと同様にネットワーク上の他の視聴装置１を走査し、ネットワーク上に他の視聴装置１が存在すれば、自身のユーザＩＦ１１が受け付けた番組指定情報を他の視聴装置１に宛ててネットワーク８０上に送出すればよい。自身のローカル暗号化部３２からの暗号化番組データの代わりに、ネットワークＩＦ３７を介して送付されてきた暗号化番組データを復号部３３へ入力すればよい。
【００３３】
＝＝＝録画・再生機能＝＝＝
番組供給モジュール２０には、ＨＤＤモジュール２０ｂがあり、視聴装置１は、このＨＤＤモジュール２０ｂを番組データの蓄積媒体とした録画・再生装置としても機能する。また視聴装置１は、録画再生機能に付随して、周知のＥＰＧを利用した録画機能や予約録画機能も備えている。番組の録画処理の流れとしては、まず、制御部３１がユーザＩＦ１１を介してチャンネル指定情報を含む録画指示情報を受け付ける。録画指示情報に、録画の開始／終了時刻などを含む予約録画情報が含まれている場合には、制御部３１は、指定の録画開始／終了時刻と指定チャンネル情報とを内部のＲＡＭに格納して自身のリアルタイムクロックの時刻を監視して録画待機状態にする。
【００３４】
次に制御部３１は、録画指示を受け付けたり予約録画開始時刻を認知したりすると、チャンネル指定情報に基づいて特定したチューナモジュール２０ａに指定チャンネルで放送中の番組データを出力させる。番組データを、必要に応じて復号部３３にスクランブル解除させ、ローカル暗号化部３２へ転送する。ローカル暗号化部３２は、番組データを暗号化して暗号化番組データを出力する。
【００３５】
制御部３１は、ＨＤＤモジュール２０ｂのＨＤＤに新規のファイルを作成し、そのファイルに暗号化番組データを書き込んでいく。そしてユーザＩＦ１１からの録画終了指示を受け付けたり、録画終了時刻を認知したりすると、ファイルを閉じる。それによって、ＨＤＤに録画時間分の暗号化番組データのファイル（録画ファイル）が記憶される。
【００３６】
ＨＤＤモジュール２０ｂに録画した番組の再生処理としては、まず、制御部３１がユーザＩＦ１１からＨＤＤに蓄積されているファイルの一覧の提示要求を受け付けると、ＨＤＤに蓄積されている録画ファイルの一覧画面のビットマップデータをディスプレイＩＦ３８のビデオＲＡＭに書き込むことで、そのビットマップ画像が外部のディスプレイモニタ５０に表示される。また制御部３１は、一覧のテキストデータを生成して本体２に配設されているディスプレイパネルにも表示する。なお録画ファイル一覧はファイル名の一覧であってもよいし、例えば、録画日時や録画したチャンネルなどの情報、あるいはＥＰＧから取得した番組についての情報と、録画ファイルとを対応付けした録画情報ファイルを別に作成しておき、その録画情報ファイルの内容を提示するようにしてもよい。
【００３７】
制御部３１は、利用者入力による録画ファイルの指定情報を含む再生指示をユーザＩＦ１１から受け付けると、指定のファイルに記述されている暗号化番組データを復号部３３に転送する。復号部３３は、転送されてきた暗号化番組データを番組データに復号し、制御部３１は、その番組データをデコード部３６へ転送する。デコード部３６は番組データを伸長して非圧縮のデジタル映像データとデジタル音声データを出力する。そのデジタル映像・音声データは、ディスプレイＩＦ３８およびオーディオＩＦ４０を経て外部のディスプレイモニタ５０とオーディオ機器６０とにより映像音響出力される。
【００３８】
また視聴装置１は、ネットワーク８０上の外部機器からも録画指示や再生指示を受け付ける。この場合、録画指示情報をネットワークＩＦ３７を介して受け付け、指定の番組を録画したり録画予約したりする。ネットワーク８０上の外部機器から録画ファイル一覧の送付要求があると、当該一覧を返送する。録画ファイル一覧を送付した外部機器から録画ファイルの指定情報を受け付けると、録画ファイルを返送する。あるいは録画ファイルの内容に相当する暗号化番組データのビットストリームをネットワーク８０上に送出してもよい。
【００３９】
＝＝＝利用形態・装置形態＝＝＝
視聴装置１の利用形態として、例えば、複数台の視聴装置１がＬＡＮに接続されたネットワーク構成において、たとえば、ある視聴装置１にはデジタルＢＳ放送用のチューナモジュール２０ａが一台装着されており、おなじ放送形態のチューナモジュール２０ａは装着されていないものとする。そして利用者が、デジタルＢＳ放送のあるチャンネルの番組を視聴していたとき、同じ時間にデジタルＢＳ放送の他のチャンネルの番組を録画したいと思ったとする。しかし、現にデジタルＢＳ放送用のチューナモジュール２０ａが使用されているため、裏番組録画ができない。そこで、ネットワークＩＦ３７を介して他の視聴装置１と通信し、使用中にないデジタルＢＳ放送用のチューナモジュール２０ａがあるかどうかを問い合わせる。もしあれば、その視聴装置１に対して番組指示情報を送付する。番組指示情報を受け付けた視聴装置１は該当番組の暗号化番組データを返送する。裏番組録画をする視聴装置１は、送付されてきた暗号化番組データをＨＤＤモジュール２０ｂへ格納する。
【００４０】
また、利用者が現に使用している視聴装置１にＨＤＤモジュール２０ｂが装着されていなくても、ＨＤＤモジュール２０ｂが装着されている他の視聴装置１に自身を起源とした番組暗号化データを送付して他の視聴装置１に録画させる形態もあり得る。このように、本発明の視聴装置１によれば、使用していないチューナモジュール２０ａを他の視聴装置１での視聴や録画に供することができる。そのため、複数台の視聴装置１を購入する際に必要最小限の番組供給モジュール２０だけを揃えておけばよく、視聴者に無駄な出費をさせずにすむ。
【００４１】
例えば、家庭内の複数の部屋のそれぞれで、各種放送形態のＴＶ放送を個別に視聴したい場合、モジュールＩＦ２２を備えた視聴装置（親機）１を１台だけ用意しておき、他の視聴装置は、上記実施例の機能構成の視聴装置からモジュールＩＦ２２を省略した簡易型の視聴装置（子機）を設置しておく。あるいは、視聴装置の装置構成をモジュールＩＦ２２とその他の機能構成分からなる子機とを別筐体で分離した形態にし、利用者が子機だけを追加購入できるようにしておく。それによって、各部屋では、親機に対して番組指示情報や録画指示情報を送付し、該当の番組の暗号化番組データを返送してもらう。視聴頻度の高いＴＶ放送（アナログ地上波放送など）については、そのＴＶ放送用のチューナモジュール２０ａを親機に複数台装着しておけばよい。それにより、複数台の子機で同時に同じ放送形態で放送中の番組を視聴したり録画したりすることができる。
【００４２】
なお、モジュールＩＦ２２と子機とを分離した装置形態では、親機におけるモジュールＩＦ２２と子機間で暗号化されていない番組データを送受信すると、この送受信経路から暗号化していない番組データが不正に抽出される場合がある。図３に、この分離装置形態における機能ブロック構成の一例を示した。モジュールＩＦ２２を備えた側の装置（フロントエンド部）１ａにローカル暗号化部３２を内蔵し、フロントエンド部１ａから出力される番組データは全て暗号化番組データとしている。フロントエンド部１ａと子機１ｂは個別に制御部（フロントエンド制御部１１ａ，子機制御部１１ｂ）を持ち、双方の通信ＩＦ（９０ａ、９０ｂ）が双方の制御部（１１ａ，１１ｂ）間の通信を仲介・制御する。また、通信ＩＦ（９０ａ、９０ｂ）は、独自規格のコネクタ形状を備えるとともに専用のプロトコルで通信するようにすれば、より確実に番組データの不正抽出を防止することができる。
【００４３】
なお、分離形態の視聴装置は、図３に示した機能構成に限らない。例えば、子機としてのみ利用される装置であれば、ＩＣカードＩＦ３５は必要ない。親機となる視聴装置であれば、利用者が操作したり番組供給モジュール２０を着脱したりするのを容易にするために、フロントエンド部１ａにユーザＩＦ１１を設け、他のデコード部３４を主体とした機能構成にディスプレイモニタ５０とオーディオ機器６０とを一体化してもよい。そして、フロントエンド部１ａを利用者の手が届きやすい場所に設置し、ディスプレイモニタ６０とオーディオ機器６０とが一体化した他の部分を視聴に適した場所に設置すればよい。このように本発明の視聴装置は、操作や視聴の形態に応じて柔軟に変更することもできる。
【図面の簡単な説明】
【００４４】
【図１】本発明の実施例における映像番組視聴装置を主体にしたシステムの装置構成図である。
【図２】上記映像番組視聴装置の機能ブロック構成図である。
【図３】本発明のその他の実施例における機能ブロック構成である。
【符号の説明】
【００４５】
１    映像番組視聴装置
１１  ユーザインタフェース
２０  番組供給モジュール
２０ａ  チューナモジュール
２０ｂ  ＨＤＤモジュール
３１  制御部
３２  ローカル暗号化部
３３  復号部
３４  デコード部
３７  ネットワークインタフェース
３８  ディスプレイインタフェース
４０  オーディオインタフェース
５０  ディスプレイモニタ
６０  オーディオ機器
７０  ＴＶアンテナ
８０  ネットワーク
【図１】
2006279433.tif 000003
【図２】
2006279433.tif 000004
【図３】
2006279433.tif 000005